(57)【要約】      （修正有）【課題】量産化し易く、軽量化に適しており、しかも複数のリベットで背負いベルトを安定した状態で、確実に固定しておける背負いベルト取付具用の合成樹脂板を提供する。【解決手段】鞄本体の背当て部の上部に設けられた一対の連結体３の上部に、上方に向いた状態で背負いベルトに取り付けられる取付環４の上辺部４ａおよび屈曲部４ｂに取り付けるようにした背負いベルト取付具用の合成樹脂板５であって、合成樹脂板５は、表裏板体１１、１２を嵌着自在としたものとしており、両側辺を内側に凹ませたリベット進入空間Ｓ2を有し、表裏板体１１、１２の一方の内面には、複数の嵌着用凸体１１ａまたは嵌着用凹体１２ａを設け、表裏板体１１、１２の他方の内面には、取付環４の上辺部４ａおよび屈曲部４ｂに合致する嵌合凹部５ａを設けると共に、一方の嵌着用凸体１１ａまたは嵌着用凹体１２ａに対応する位置に他方の嵌着用凹体１２ａまたは嵌着用凸体１１ａを設けた。【選択図】図３
0003206455.tif 000002
【実用新案登録請求の範囲】
【請求項１】
鞄本体（Ｒ）の背当て部（Ｔ）の上部に設けられた一対の連結体（３）の上部に、上方に向いた状態でそれぞれ背負いベルト（Ｂ）に取り付けられる取付環（４）の上辺部（４ａ）および屈曲部（４ｂ）に取り付けるようにした背負いベルト取付具用の合成樹脂板（５）であって、前記合成樹脂板（５）は、表裏板体（１１、１２）を嵌着自在としたものとしており、それぞれの両側辺を内側に凹ませたリベット進入空間（Ｓ２）を有し、表裏板体（１１、１２）の一方の内面には、複数の嵌着用凸体（１１ａ）または嵌着用凹体（１２ａ）を設け、表裏板体（１１、１２）の他方の内面には、前記取付環（４）の上辺部（４ａ）および屈曲部（４ｂ）に合致する嵌合凹部（５ａ）を設けると共に、前記嵌着用凸体（１１ａ）または嵌着用凹体（１２ａ）に対応する位置に嵌着用凹体（１２ａ）または嵌着用凸体（１１ａ）を設けたことを特徴とする背負いベルト取付具用の合成樹脂板。
【請求項２】
前記合成樹脂板（５）は、表裏板体（１１、１２）の上辺の一部または全部の間にヒンジ（１３）を設けたことを特徴とする請求項１記載の背負いベルト取付具用の合成樹脂板。
【請求項３】
前記合成樹脂板（５）は、表裏板体（１１、１２）の下辺の一部または全部の間にヒンジ（１３）を設けたことを特徴とする請求項１記載の背負いベルト取付具用の合成樹脂板。
【請求項４】
前記ヒンジ（１３）を合成樹脂薄肉部としたことを特徴とする請求項２または３記載の背負いベルト取付具用の合成樹脂板。
【請求項５】
前記合成樹脂板（５）の表裏板体（１１、１２）に、この合成樹脂板（５）を貫通するリベット孔（１４）を設けたことを特徴とする請求項４記載の背負いベルト取付具用の合成樹脂板。
【考案の詳細な説明】
【技術分野】
【０００１】
この考案は、ランドセルなどの背負い鞄に取り付ける背負いベルトの取付具に用いる合成樹脂板に関するものである。
【背景技術】
【０００２】
従来、この種の背負いベルトの取付構造は、例えば図６、７に示したように、レバー状の取付具２１と、その取付具２１の上端に連結される略三角形状の連結環２２と、その連結環２２に一端が取り付けられた背負いベルト２３と、連結環２２に固定される弾性片２４とからなる（特許文献１）。
【０００３】
前記弾性片２４は、一枚の金属薄板を中央で折り曲げて上部を重ねた形態を備えている。それにより下部で連結環２２の上辺２５を包むことができる。弾性片２４の上部は、二本の平行な突出片２６を備え、その間にＵ字状の切り欠き２７を形成している。なお、この切り欠き２７は、背負いベルト２３に固定するための鋲（リベット）２８を通すスペースであるとしている。
【０００４】
そして、前記弾性片２４は、下部で連結環２２の上辺２５を包むように重ね、突出部２９にスポット溶接するなどにより連結環２２に固着される。それにより背負いベルト２３の端部と係合して背負いベルト２３を連結環２２に対して自由に回動しないように、かつ、いくらかの揺動を許すように弾力的に連結することができるとしている。
【先行技術文献】
【特許文献】
【０００５】
【特許文献１】実用新案登録第３１１８０３１号公報
【考案の概要】
【考案が解決しようとする課題】
【０００６】
しかしながら、従来の背負いベルトの取付構造を構成する弾性片は、金属薄板を折り曲げて形成されているため、加工に手間が掛かって量産化し難かったり、軽量化に適さないという課題を有していた。
【０００７】
さらに、従来の弾性片は、リベット２８を通すスペースが二本の平行な突出片２６の間に形成されたＵ字状の切り欠き２７としており、この切り欠き２７に通した一本のリベット２８で背負いベルト２３を固定するようにしているため、背負いベルト２３を安定した状態で、確実に固定しておけないことがあるという課題を有していた。
【０００８】
そこで、この考案は、上記従来の弾性片に代わる合成樹脂板を提供するものであり、量産化し易く、軽量化に適しており、しかも複数のリベットで背負いベルトを安定した状態で、確実に固定しておける背負いベルト取付具用の合成樹脂板を提供することを目的としてなされたものである。
【課題を解決するための手段】
【０００９】
この考案は、鞄本体Ｒの背当て部Ｔの上部に設けられた一対の連結体３の上部に、上方に向いた状態でそれぞれ背負いベルトＢに取り付けられる取付環４の上辺部４ａおよび屈曲部４ｂに取り付けるようにした背負いベルト取付具用の合成樹脂板５であって、前記合成樹脂板５は、表裏板体１１、１２を嵌着自在としたものとしており、それぞれの両側辺を内側に凹ませたリベット進入空間Ｓ２を有し、表裏板体１１、１２の一方の内面には、複数の嵌着用凸体１１ａまたは嵌着用凹体１２ａを設け、表裏板体１１、１２の他方の内面には、前記取付環４の上辺部４ａおよび屈曲部４ｂに合致する嵌合凹部５ａを設けると共に、前記嵌着用凸体１１ａまたは嵌着用凹体１２ａに対応する位置に嵌着用凹体１２ａまたは嵌着用凸体１１ａを設けたものとしている。
【００１０】
そして、この考案において、前記合成樹脂板５は、表裏板体１１、１２の上辺の一部または全部の間にヒンジ１３を設けたものとしている。
【００１１】
さらに、この考案において、前記合成樹脂板５は、表裏板体１１、１２の下辺の一部または全部の間にヒンジ１３を設けたものとしている。
【００１２】
また、この考案において、前記ヒンジ１３を合成樹脂薄肉部としたものとしている。
【００１３】
さらに、この考案において、前記合成樹脂板５の表裏板体１１、１２に、この合成樹脂板５を貫通するリベット孔１４を設けたものとしている。
【考案の効果】
【００１４】
この考案の背負いベルト取付具用の合成樹脂板は、以上に述べたように構成されているので、量産化し易く、軽量化に適しており、しかも複数のリベットで背負いベルトを安定した状態で、確実に固定しておけるものとなる。
【図面の簡単な説明】
【００１５】
【図１】この考案の合成樹脂板を用いた背負いベルト取付具に背負いベルトを取り付けた状態のランドセルを背当て部側から見た部分図である。
【図２】この考案の合成樹脂板を用いた背負いベルト取付具の一部分解斜視図である。
【図３】図２に示す背負いベルト取付具の連結体、取付環、合成樹脂板の斜視図である。
【図４】図３に示す連結体と取付環の固定状態を示す断面図である。
【図５】この考案の合成樹脂板の取付環への取り付け態を示す説明図である。
【図６】従来の背負いベルトの取付構造の組み立て前の要部斜視図である。
【図７】従来の背負いベルトの取付構造の組み立て後の一部断面要部正面図である。
【考案を実施するための形態】
【００１６】
以下、この考案の背負いベルト取付具用の合成樹脂板を実施するための形態を、図１〜４に基づいて詳細に説明する。
【００１７】
この考案の合成樹脂板を用いた背負いベルト取付具は、ランドセルなどの背負い鞄本体Ｒの背当て部Ｔの上部の中央部に固着されており、この背当て部Ｔへの取付板１と、この取付板１の空間部Ｓ１を塞いでおくための上蓋板２との間に左右一対の連結体３が左右方向に揺動自在として設けられている。なお、前記背当て部Ｔの上部とは、背当て部Ｔの最上端または最上端から少し下がった位置のことをいう。
【００１８】
前記連結体３は、合成樹脂成形体としており、上部には背負いベルトＢの取付環４を鞄本体Ｒから上方に向いた状態で取り付けたものとしている。この取付環４は、金属線材からなり、金属線材を折り曲げて略三角形状としており、この略三角形状とした上辺部４ａを平坦にすると共に上方に屈曲部４ｂを形成したものとしている。前記取付環４の上辺部４ａには、この上辺部４ａおよび屈曲部４ｂへの嵌合凹部５ａを設けた透明または不透明の合成樹脂板５を取り付けたものとしている。この合成樹脂板５に前記背負いベルトＢを保持させることにより、背負いベルトＢが取付環４の上辺部４ａで動かないようにしている。
【００１９】
前記取付環４は、背当て部Ｔの左右方向に揺動自在として取り付けており、使用者の体格に応じて左右方向に移動できるようにしている。この取付環４を左右方向に揺動自在として背当て部Ｔに取り付けるには、それぞれの連結体３を取付板１の空間部Ｓ1に収納し、これら連結体３に形成した摺動孔６に取付板１に設けた摺動体７をそれぞれ入り込ませ、それぞれの連結体３の下端に設けた軸孔８を取付板１に設けた支軸９に軸支している。さらに、それぞれの連結体３の対向側面に設けた歯合部３ａを互いに噛み合わせると共に、連結体３の外側面を内方向に押し付ける略Ｖ字状のバネ１０を取付板１の空間部Ｓ1に設け、前記連結体３にそれぞれ内方向の弾力を付したものとしている。
【００２０】
なお、前記取付環４を鞄本体Ｒから上方に向いた状態で取り付けるには、連結体３の上端部に形成した角形の挿入孔３ｂに回動不能に嵌入した角パイプＣに、取付環４の両端軸部４ｃを平坦にして回動不能に嵌入し、取付環４を連結体３の上端部に固定したものとしている。
【００２１】
前記合成樹脂板５は、表裏板体１１、１２を嵌着自在としたものとしており、それぞれの両側辺の一部または全部を内側に凹ませたリベット進入空間Ｓ2を有し、表裏板体１１、１２の一方の内面には、複数の嵌着用凸体１１ａまたは嵌着用凹体１２ａを設け、表裏板体１１、１２の他方の内面には、前記したように取付環４の上辺部４ａおよび屈曲部４ｂに合致する嵌合凹部５ａを設けると共に、前記嵌着用凸体１１ａまたは嵌着用凹体１２ａに対応する位置に嵌着用凹体１２ａまたは嵌着用凸体１１ａを設けたものとしている。なお、前記リベット進入空間Ｓ2は、後に述べるように背負いベルトＢをリベット止めする場合に、この進入空間Ｓ2にリベットＲｖを入り込ませることにより、リベットＲｖの取り付け場所が充分に確保され、背負いベルトＢをリベット止めし易くするためのものである。
【００２２】
前記合成樹脂板５は、表裏板体１１、１２を嵌着自在とするにあたり、これらの上辺の一部または全部の間、または下辺の一部または全部の間にヒンジ１３を設けたものとしている。このヒンジ１３は、表裏板体１１、１２を一体成形するときに同時成形した連結薄肉部としたり、別体として形成したヒンジ構造を後付けしたものとしている。さらに、前記合成樹脂板５の表裏板体１１、１２には、両者を嵌着したときに、この合成樹脂板５を貫通するリベット孔１４を設けたものとしている。なお、前記ヒンジ１３は、図示したように表裏板体１１、１２の上辺の一部または全部の間に設けたものとするのが、後に述べるように取付環４の上辺部４ａおよび屈曲部４ｂに、表裏板体１１、１２の何れかの嵌合凹部５ａを合致させる場合に、このヒンジ１３が邪魔になることなく合致させることができるので好ましい。
【００２３】
また、前記背負いベルトＢは、厚手の皮革地や合成樹脂地からなり、上端部には必要に応じて、合成樹脂板や弾性金属板などの弾性部材を挟み込んだものとして、取付環４に取り付けられた場合に、この上端部が上方に向いた状態を維持し易いようにしておくのが好ましい。
【００２４】
以上のように構成されたこの考案の合成樹脂板は、図５（ａ）に示したように、背負いベルト取付具の取付環４の上辺部４ａおよび屈曲部４ｂに、表裏板体１１、１２の何れかに設けた嵌合凹部５ａを合致させ、図５（ｂ）に示したように、ヒンジ１３から折り返して、嵌合凹部５ａを設けていない何れかの表裏板体１１、１２を重ね合わせる。このとき、一方の嵌着用凸体１１ａまたは嵌着用凹体１２ａを、他方の嵌着用凹体１２ａまたは嵌着用凸体１１ａに嵌め込んで位置ずれしないようにし、図１、２に示したように、リベット孔１４にリベットＲｖを貫通させてリベット止めする。なお、表裏板体１１、１２をヒンジ１３で連結していないものでは、背負いベルト取付具の取付環４の上辺部４ａおよび屈曲部４ｂに、表裏板体１１、１２の何れかに設けた嵌合凹部５ａを合致させ、嵌合凹部５ａを設けていない何れかの表裏板体１１、１２を単に重ね合わせ、一方の嵌着用凸体１１ａまたは嵌着用凹体１２ａを、他方の嵌着用凹体１２ａまたは嵌着用凸体１１ａに嵌め込んで位置ずれしないようにしてから、リベット孔１４にリベットＲｖを貫通させてリベット止めすればよい。
【００２５】
そして、前記背負いベルト取付具は、上蓋板２に設けられたリベット孔２ａから取付板１に設けられたリベット孔１ａにリベットＲｖを貫通させ、鞄本体Ｒの背当て部Ｔの裏側に取り付けられる止板（図示せず）にリベット止めしたものとしている。
【００２６】
さらに、前記背負いベルト取付具に背負いベルトＢを取り付けるには、ベルト端部を取付環４に通してから折り返して、合成樹脂板５に重ね合わせるようにして保持させ、表裏板体１１、１２の両側辺を内側に凹ませたリベット進入空間Ｓ2に位置するようにして背負いベルトＢに設けられたリベット孔（図示せず）にリベットＲｖを貫通させて、リベット止めしたものとすればよい。このようにすることにより、リベットＲｖの取り付け場所が充分に確保され、背負いベルトＢをリベット止めし易く、しかも取り付け強度も優れたものとなる。
【００２７】
以上に述べたように構成されたこの考案の背負いベルト取付具用の合成樹脂板は、従来の金属薄板からなるものに比べ加工に手間が掛からず、量産化もし易く、軽量化に適したものとなる。
【００２８】
さらに、この考案の背負いベルト取付具用の合成樹脂板は、表裏板体１１、１２の両側辺を内側に凹ませたリベット進入空間Ｓ2にそれぞれ一本ずつ、合計二本のリベットＲｖで背負いベルトＢを固定するようにしているため、背負いベルトＢを安定した状態で、確実に固定しておけるものとなる。
【００２９】
また、この考案の背負いベルト取付具用の合成樹脂板は、背負いベルトＢを保持させる際に、合成樹脂板５の嵌合凹部５ａが背負いベルトＢの取付環４の屈曲部４ｂからずれることなく、その取付環４に背負い負いベルトＢを取り付けるのに手間取ってしまうことがなく、スムーズに取り付けることができるものとなる。
【符号の説明】
【００３０】
３  連結体
４  取付環
４ａ  上辺部
４ｂ  屈曲部
５  合成樹脂板
５ａ  嵌合凹部
１１  表板体
１１ａ  嵌着用凸体
１２  裏板体
１２ａ  嵌着用凹体
１３  ヒンジ
１４  リベット孔
Ｒ  鞄本体
Ｔ  背当て部
Ｂ  背負いベルト
Ｓ2  リベット進入空間
【図１】
0003206455.tif 000003
【図２】
0003206455.tif 000004
【図３】
0003206455.tif 000005
【図４】
0003206455.tif 000006
【図５】
0003206455.tif 000007
【図６】
0003206455.tif 000008
【図７】
0003206455.tif 000009